(57)【要約】【課題】操作ボタンの操作により、洗浄動作を確実に実行することができるフラッシュバルブ装置を提供すること。【解決手段】ケース体２の内部に配置されるフラッシュバルブ本体３と、ケース体２の外部から操作可能な操作ボタン４と、フラッシュバルブ本体３を駆動可能な駆動ボタン５と、操作ボタン４と駆動ボタン５との間に配置され、回動軸Ｊを中心に回動する伝達部材６と、を備え、伝達部材６は、操作ボタン４の押圧操作により押圧可能であって所定方向に延びる第１辺部６１と、駆動ボタン５を押圧可能であると共に第１辺部６１が延びる方向に交差する方向に延びる第２辺部６２と、を有し、操作ボタンを押圧操作することにより第１辺部６１を押圧することで、第１辺部６１及び第２辺部６２が一体で回動軸Ｊを中心に回動して、第２辺部６２が駆動ボタン５を押圧する。【選択図】図３
2019190196.tif 000002
【特許請求の範囲】
【請求項１】
ケース体と、
前記ケース体の内部に配置されるフラッシュバルブ本体と、
前記ケース体の外部から操作可能な操作ボタンと、
前記フラッシュバルブ本体を駆動可能な駆動ボタンと、
前記操作ボタンと前記駆動ボタンとの間に配置され、回動軸を中心に回動する伝達部材と、を備え、
前記伝達部材は、前記操作ボタンの押圧操作により押圧可能であって所定方向に延びる第１辺部と、前記駆動ボタンを押圧可能であると共に前記第１辺部が延びる方向に交差する方向に延びる第２辺部と、を有し、
前記操作ボタンを押圧操作することにより前記第１辺部を押圧することで、前記第１辺部及び前記第２辺部が一体で前記回動軸を中心に回動して、前記第２辺部が前記駆動ボタンを押圧するフラッシュバルブ装置。
【請求項２】
前記第１辺部の長手方向の長さは、前記第２辺部の長手方向の長さよりも長い請求項１に記載のフラッシュバルブ装置。
【請求項３】
前記第１辺部における長手方向に交差する方向の断面形状は、コ字状に形成される請求項１又は２に記載のフラッシュバルブ装置。
【請求項４】
前記操作ボタンは、前記ケース体の外部における垂直面に設けられており、
前記回動軸は、上下方向に延びる軸であり、前記第１辺部と前記第２辺部とが交差する部分よりも、前記操作ボタンから離間した位置に配置される請求項１〜３のいずれか１項に記載のフラッシュバルブ装置。
【発明の詳細な説明】
【技術分野】
【０００１】
本発明は、フラッシュバルブ装置に関する。
【背景技術】
【０００２】
従来、操作ボタンを操作することで、ワイヤーが動作して、洗浄動作を実行するフラッシュバルブ装置が知られている（例えば、特許文献１参照）。
【先行技術文献】
【特許文献】
【０００３】
【特許文献１】特開２００２−３１７４８１号公報
【発明の概要】
【発明が解決しようとする課題】
【０００４】
特許文献１に記載のフラッシュバルブ装置においては、ワイヤーが他の部材と接触した場合などに、洗浄動作が正常に実行されない可能性がある。そのため、操作ボタンを操作することで洗浄動作を実行するフラッシュバルブ装置において、操作ボタンの操作により、洗浄動作を確実に実行することが求められる。
【０００５】
本発明は、操作ボタンの操作により、洗浄動作を確実に実行することができるフラッシュバルブ装置を提供することを目的とする。
【課題を解決するための手段】
【０００６】
本発明は、ケース体（例えば、後述のケース体２）と、前記ケース体の内部に配置されるフラッシュバルブ本体（例えば、後述のフラッシュバルブ本体３）と、前記ケース体の外部から操作可能な操作ボタン（例えば、後述の操作ボタン４）と、前記フラッシュバルブ本体を駆動可能な駆動ボタン（例えば、後述の駆動ボタン５）と、前記操作ボタンと前記駆動ボタンとの間に配置され、回動軸（例えば、後述の回動軸Ｊ）を中心に回動する伝達部材（例えば、後述の伝達部材６）と、を備え、前記伝達部材は、前記操作ボタンの押圧操作により押圧可能であって所定方向に延びる第１辺部（例えば、後述の第１辺部６１）と、前記駆動ボタンを押圧可能であると共に前記第１辺部が延びる方向に交差する方向に延びる第２辺部（例えば、後述の第２辺部６２）と、を有し、前記操作ボタンを押圧操作することにより前記第１辺部を押圧することで、前記第１辺部及び前記第２辺部が一体で前記回動軸を中心に回動して、前記第２辺部が前記駆動ボタンを押圧するフラッシュバルブ装置（例えば、後述のフラッシュバルブ装置１）に関する。
【０００７】
また、前記第１辺部の長手方向の長さは、前記第２辺部の長手方向の長さよりも長いことが好ましい。
【０００８】
また、前記第１辺部における長手方向に交差する方向の断面形状は、コ字状に形成されることが好ましい。
【０００９】
また、前記操作ボタンは、前記ケース体の外部における垂直面に設けられており、前記回動軸は、上下方向に延びる軸であり、前記第１辺部と前記第２辺部とが交差する部分（例えば、後述の交差する部分６５）よりも、前記操作ボタンから離間した位置に配置されることが好ましい。
【発明の効果】
【００１０】
本発明によれば、操作ボタンの操作により、洗浄動作を確実に実行することができるフラッシュバルブ装置を提供することができる。
【図面の簡単な説明】
【００１１】
【図１】本発明の一実施形態に係るフラッシュバルブ装置がトイレ室の壁部に設置された状態を示す全体斜視図である。
【図２】本実施形態のフラッシュバルブ装置を示す全体斜視図である。
【図３】フラッシュバルブ装置の操作ボタン、伝達部材及び駆動ボタンに関連する構成を示す斜視図である。
【図４】フラッシュバルブ装置の操作ボタン、伝達部材及び駆動ボタンに関連する構成を示す平面図である。
【発明を実施するための形態】
【００１２】
以下、本発明の実施形態について図面を参照しながら説明する。なお、本発明は以下の実施形態に限定されるものではない。図１は、本発明の一実施形態に係るフラッシュバルブ装置１がトイレ室１０の壁部１２に設置された状態を示す全体斜視図である。図２は、本実施形態のフラッシュバルブ装置１を示す全体斜視図である。図３は、フラッシュバルブ装置１の操作ボタン４、伝達部材６及び駆動ボタン５に関連する構成を示す斜視図である。図４は、フラッシュバルブ装置１の操作ボタン４、伝達部材６及び駆動ボタン５に関連する構成を示す平面図である。
【００１３】
図１に示すように、本実施形態に係るフラッシュバルブ装置１は、トイレ装置１１が配置されるトイレ室１０の壁部１２に配置される。なお、本実施形態においては、図１におけるフラッシュバルブ装置１のケース体２に対面した場合において、フラッシュバルブ装置１の前後の向きを前後方向ともいう。また、前後方向において、手前側を前側ともいい、奥側を後側ともいう。また、図１におけるフラッシュバルブ装置１のケース体２に対面した場合において、フラッシュバルブ装置１の左右の向きを左右方向ともいう。
【００１４】
図２に示すように、フラッシュバルブ装置１は、ケース体２と、フラッシュバルブ本体３と、操作ボタン４と、駆動ボタン５と、伝達部材６と、を備える。ケース体２は、トイレ室１０の壁部１２に設けられる。ケース体２は、方形状に４周を囲んで壁部１２からトイレ室１０の室内側に立ち上がる周壁部２１と、トイレ室１０の壁部１２に平行に形成され周壁部２１の開口を閉止してケース体２の前面となる板状の前面板２２と、を有する。
【００１５】
フラッシュバルブ本体３は、図２に示すように、ケース体２の内部に配置される。フラッシュバルブ本体３は、上下方向に延びる筒状に形成され、左右方向の一方側の側面から側方に延びる筒状の駆動ボタン用筒部３２と、左右方向の他方側の側面から側方に延びる筒状の導入用接続口３１と、下端部に形成される筒状の排出口３３と、を有する。
【００１６】
導入用接続口３１には、導入管１５が接続される。導入用接続口３１には、給水管１３、止水栓１４及び導入管１５を介して、水が導入される。また、排出口３３には、排水管１６が接続される。排出口３３から排出された水は、排水管１６を介して、トイレ装置１１に供給される。
【００１７】
駆動ボタン用筒部３２の先端には、駆動ボタン５が配置される。駆動ボタン５が押圧されることで、フラッシュバルブ装置１は洗浄動作を実行する。駆動ボタン５は、図３に示すように、フラッシュバルブ本体３と反対側の側方を向く平面状の駆動押圧円形板５１と、駆動押圧円形板５１の周縁からフラッシュバルブ本体３側の側方に立ち上がる駆動押圧筒部５２と、を有する。駆動ボタン５は、フラッシュバルブ本体３側に押圧されることで、フラッシュバルブ本体３を駆動可能である。
【００１８】
操作ボタン４は、ケース体２の前面板２２の貫通穴２２１（図１及び図２参照）を貫通して、ケース体２の前面板２２の手前側の外部に突出して配置される。ケース体２の前面板２２の前面は、垂直方向に延びる垂直面であり、操作ボタン４は、ケース体２の前面板２２の前面に設けられる。操作ボタン４は、停電時等の非常時において、前側から奥側に押込操作することで、フラッシュバルブ本体３の弁部を開いて、便器の洗浄水を流出させる。操作ボタン４は、図３及び図４に示すように、操作ボタン本体４１と、押圧部材４２と、を有する。
【００１９】
操作ボタン本体４１は、図３及び図４に示すように、フラッシュバルブ装置１の前側を向く平面状の操作側円形板４１１と、操作側円板の周縁からケース体２の内部側に立ち上がる操作側円筒部４１２と、を有する。操作ボタン本体４１は、ケース体２の前面板２２の貫通穴２２１（図１及び図２参照）を貫通して、ケース体２の内部からケース体２の外部に突出して配置される。操作ボタン本体４１は、ケース体２の前面板２２から外部に突出するため、トイレ室１０において、ケース体２の前面板２２から外部から、人の手により押圧されることで操作可能である。
【００２０】
押圧部材４２は、操作ボタン本体４１のケース体２の内部側に連結されており、操作ボタン本体４１と一体で構成される。押圧部材４２は、フラッシュバルブ装置１の後側を向く平面状の押圧側円形板４２１と、押圧側円形板４２１の周縁から操作ボタン本体４１側に立ち上がる押圧側円筒部４２２と、を有する。押圧側円形板４２１は、操作ボタン本体４１の操作側円形板４１１よりも径が小さい円形状に形成される。押圧側円筒部４２２は、操作ボタン本体４１の操作側円筒部４１２よりも径が小さい円筒状に形成される。
【００２１】
押圧部材４２は、ケース体２の外部側から操作ボタン本体４１が押圧操作されることで、ケース体２の内部側に移動される。これにより、押圧部材４２の押圧側円形板４２１は、操作ボタン本体４１が押圧操作された場合に、操作ボタン本体４１の押圧操作に連動して、フラッシュバルブ装置１の後側に移動されて、図４に示すように、後述する伝達部材６の第１辺部６１の一方側６１ａ寄りの押圧部分６１ｃを押圧する。
【００２２】
伝達部材６は、図３及び図４に示すように、操作ボタン４と駆動ボタン５との間に配置される。伝達部材６は、後述する回動軸Ｊを中心に回動する。伝達部材６は、ブラケット７を介して、フラッシュバルブ本体３の駆動ボタン用筒部３２に接続される。伝達部材６は、所定方向に延びる第１辺部６１と、第１辺部６１が延びる方向に直交（交差）する方向に延びる第２辺部６２と、上下に離間して配置された２つの延出板６３と、回動軸部６４と、を有する。第１辺部６１、第２辺部６２及び２つの延出板６３は、一体で形成され、第１辺部６１及び第２辺部６２の部分は、上方から見た場合に、Ｌ字状に形成される。
【００２３】
第１辺部６１は、ケース体２の前面板２２（図２参照）の内側の面に沿って横方向に延びる。第１辺部６１は、操作ボタン４の押圧操作により、操作ボタン４により押圧されることが可能である。図４に示すように、第１辺部６１の一方側６１ａ寄りの押圧部分６１ｃは、操作ボタン４の押圧部材４２の押圧側円形板４２１に対向して配置される。図３に示すように、第１辺部６１における長手方向に直交（交差）する方向の断面形状は、コ字状に形成される。
【００２４】
第１辺部６１は、図３に示すように、コ字状の閉鎖部分に配置され上下方向に幅Ｈを有する押圧板６１１と、押圧板６１１の上端部から操作ボタン４と反対側に延びる上面板６１２と、押圧板６１１の下端部から操作ボタン４と反対側に延びる下面板６１３と、を有する。図４に示すように、押圧板６１１の長手方向の長さＬ１ａは、第２辺部６２（後述）の長手方向の長さＬ２ａよりも長く形成される（Ｌ１ａ＞Ｌ２ａ）。
【００２５】
また、図３に示すように、押圧板６１１の上下方向の幅Ｈは、操作ボタン４の押圧部材４２の押圧側円形板４２１の直径Ｒ１よりも大きく形成される（Ｈ＞Ｒ１）。また、第１辺部６１は、押圧板６１１の上下方向の幅Ｈの範囲において、操作ボタン４の押圧部材４２の押圧側円形板４２１が押圧されるように配置される。つまり、操作ボタン４の押圧操作により、操作ボタン４の押圧部材４２の押圧側円形板４２１の押圧面の全部の面は、押圧板６１１の上下方向の幅Ｈの範囲において、押圧板６１１を押圧するように構成されている。押圧板６１１の上下方向の幅Ｈが、操作ボタン４の押圧部材４２の押圧側円形板４２１の直径Ｒ１よりも大きく形成される（Ｈ＞Ｒ１）ため、操作ボタン４の押圧部材４２の押圧側円形板４２１が第１辺部６１の押圧板６１１を押圧する際における上下方向の位置関係において、位置ズレを吸収することができる。
【００２６】
図４に示すように、押圧板６１１における第１辺部６１の一方側６１ａ寄りの押圧部分６１ｃは、操作ボタン４の押圧部材４２の押圧側円形板４２１に対向して配置される。押圧板６１１における第１辺部６１の他方側６１ｂの端部は、第２辺部６２に接続される。押圧板６１１は、操作ボタン４が押圧操作されることで、押圧部材４２の押圧側円形板４２１に押圧されて、後述する回動軸部６４の回動軸Ｊを中心に伝達部材６が回動して、ケース体２の内部側に移動される。
【００２７】
第２辺部６２は、第１辺部６１の他方側６１ｂの端部から、第１辺部６１に直交（交差）する方向であって前面板２２の内側の面から離れる側（操作ボタン４と反対側）に延びる。第２辺部６２は、図３に示すように、上下方向に幅Ｈを有する板状に形成される。第２辺部６２の長手方向の長さＬ２ａは、第１辺部６１の長手方向の長さＬ１ａよりも短く形成される。第２辺部６２の第１辺部６１と反対側の端部側の駆動ボタン押圧部分６２ａは、駆動ボタン５の駆動押圧円形板５１に対向して配置される。第２辺部６２の押圧部分６１ｃは、後述する回動軸部６４の回動軸Ｊを中心に伝達部材６が回動した場合に、駆動ボタン５の駆動押圧円形板５１を押圧する。第２辺部６２の幅Ｈは、図３に示すように、駆動押圧円形板５１の直径Ｒ２よりも小さく形成される（Ｈ＜Ｒ２）。
【００２８】
回動軸部６４は、図３に示すように、第１辺部６１から延出する２つの延出板６３を上下方向に貫通して配置され、上下方向に延びる。２つの延出板６３は、第１辺部６１の他方側６１ｂ（図４参照）の端部から、フラッシュバルブ本体３側に延出して上下に離間して配置される。回動軸部６４は、２つの延出板６３において、伝達部材６を回動軸部６４の回動軸Ｊを中心に回動可能に支持する。回動軸Ｊは、上下方向に延びる軸であり、第１辺部６１と第２辺部６２とが交差する部分６５よりも、操作ボタン４から離間した位置に配置される。これにより、伝達部材６は、操作ボタン４が押圧操作された場合に、回動軸Ｊを中心に回動して、操作ボタン４からの押圧力を、駆動ボタン５に伝達する。
【００２９】
次に、フラッシュバルブ装置１の動作について簡単に説明する。
フラッシュバルブ装置１は、例えば、通常時において、トイレ室１０内のリモコン（図示せず）により操作されることにより、洗浄動作が実行される。一方、フラッシュバルブ装置１は、例えば、停電時において、操作ボタン４の押圧操作により、洗浄動作が実行される。
【００３０】
例えば、停電時において、図４に示すように、操作ボタン４の押圧操作により洗浄動作を実行する場合には、人が操作ボタン４を押圧操作することで、操作ボタン４の押圧側円形板４２１が伝達部材６の第１辺部６１の押圧部分６１ｃを押圧する。そして、操作ボタン４の押圧側円形板４２１が伝達部材６の第１辺部６１の押圧部分６１ｃを押圧することで、伝達部材６が回動軸部６４の回動軸Ｊを中心に回動する。これにより、伝達部材６の第２辺部６２の駆動ボタン押圧部分６２ａは、テコの原理により、駆動ボタン５を押圧する。
【００３１】
このようにして、フラッシュバルブ装置１は洗浄動作を実行する。これにより、操作ボタン４の操作により操作ボタン４が第１辺部６１を押圧することで、第１辺部６１及び第２辺部６２が一体で回動軸Ｊを中心に回動して、第２辺部６２が駆動ボタン５を押圧する。よって、操作ボタン４は、伝達部材６を介して駆動ボタン５を直接的に押圧する。特に、操作ボタン４は、ワイヤーなどを介さずに、伝達部材６を介して、駆動ボタン５を直接的に押圧できる。これにより、操作ボタン４の押圧力が直接的に駆動ボタン５に伝達される。
【００３２】
ここで、本実施形態においては、図４に示すように、第１辺部６１の長手方向の長さＬ１ａは、第２辺部６２の長手方向の長さＬ２ａよりも長い（Ｌ１ａ＞Ｌ２ａ）。また、第１辺部６１の押圧部分６１ｃから第１辺部６１の他方側６１ｂの端部までの長さＬ１ｂは、第２辺部６２の第１辺部６１側の端部６２ｂから駆動ボタン押圧部分６２ａまでの長さＬ２ｂよりも長い（Ｌ１ｂ＞Ｌ２ｂ）。そのため、回動軸Ｊ（支点）から第１辺部６１の押圧部分６１ｃ（力点）までの距離は、回動軸Ｊ（支点）から第２辺部６２の駆動ボタン押圧部分６２ａ（作用点）までの距離よりも長いため、テコの原理により、第１辺部６１に入力された力よりも大きな力として、駆動ボタン５に伝達される。よって、操作ボタン４を軽い力で押圧操作した場合においても、テコの原理により、駆動ボタン５を確実に押圧することができる。
【００３３】
以上説明した本実施形態に係るフラッシュバルブ装置１によれば、以下のような効果を奏する。
本実施形態のフラッシュバルブ装置１は、ケース体２と、ケース体２の内部に配置されるフラッシュバルブ本体３と、ケース体２の外部から操作可能な操作ボタン４と、フラッシュバルブ本体３を駆動可能な駆動ボタン５と、操作ボタン４と駆動ボタン５との間に配置され、回動軸Ｊを中心に回動する伝達部材６と、を備え、伝達部材６は、操作ボタン４の押圧操作により押圧可能であって所定方向に延びる第１辺部６１と、駆動ボタン５を押圧可能であると共に第１辺部６１が延びる方向に交差する方向に延びる第２辺部６２と、を有し、操作ボタンを押圧操作することにより第１辺部６１を押圧することで、第１辺部６１及び第２辺部６２が一体で回動軸Ｊを中心に回動して、第２辺部６２が駆動ボタン５を押圧する。そのため、操作ボタン４の操作により、操作ボタン４が、伝達部材６を介して、駆動ボタン５を直接的に押圧する。特に、操作ボタン４は、ワイヤーなどを介さずに、伝達部材６を介して、駆動ボタン５を直接的に押圧できる。これにより、操作ボタン４の押圧力が直接的に駆動ボタン５に伝達されるため、駆動ボタン５を確実に押圧することができる。
【００３４】
また、本実施形態では、第１辺部６１の長手方向の長さＬ１ａは、第２辺部６２の長手方向の長さＬ２ａよりも長い（Ｌ１ａ＞Ｌ１ｂ）。そのため、第１辺部６１に入力された力が、テコの原理により、第２辺部６２を介して、第１辺部６１に入力された力よりも大きな力として、駆動ボタン５に伝達される。これにより、操作ボタン４の操作による押圧力が小さくても、第１辺部６１に入力された力よりも大きな力として駆動ボタン５に伝達できるため、駆動ボタン５を押圧する力を十分に確保できる。よって、操作ボタン４を軽い力で押圧操作した場合においても、テコの原理により、駆動ボタン５を確実に押圧することができる。
【００３５】
また、本実施形態では、第１辺部６１における長手方向に交差する方向の断面形状は、コ字状に形成される。そのため、第１辺部６１の断面形状がコ字状であるため、第１辺部６１の強度を向上できる。よって、第１辺部６１に入力された力を駆動ボタン５に確実に伝達させることができる。
【００３６】
また、本実施形態では、操作ボタン４は、ケース体２の前面板２２の前面に設けられており、回動軸Ｊは、上下方向に延びる軸であり、第１辺部６１と第２辺部６２とが交差する部分６５よりも、操作ボタン４から離間した位置に配置される。これにより、操作ボタン４から離れた回動軸Ｊを中心に伝達部材６が回動するため、第１辺部６１の押圧部分６１ｃ（力点）から回動軸Ｊ（支点）からまでの距離を十分に長く確保でき、テコの原理により、より力を伝達させやすい。よって、操作ボタン４を軽い力で押圧操作した場合においても、テコの原理により、駆動ボタン５を確実に押圧することができる。
【００３７】
本発明は上記実施形態に限定されるものではなく、本発明の目的を達成できる範囲での変形、改良等は本発明に含まれる。
前記実施形態においては、第１辺部６１及び第２辺部６２を一体の部材で構成したが、これに限定されない。第１辺部６１及び第２辺部６２を別体の部材で構成して、回動軸Ｊを中心に一体で回動するように構成してもよい。
【００３８】
また、伝達部材６をフラッシュバルブ本体３側に配置したが、これに限定されず、伝達部材６を、例えば、操作ボタン４やケース体２側に配置してもよい。
【符号の説明】
【００３９】
１  フラッシュバルブ装置
２  ケース体
３  フラッシュバルブ本体
４  操作ボタン
５  駆動ボタン
６  伝達部材
６１  第１辺部
６２  第２辺部
６５  交差する部分
Ｊ  回動軸
【図１】
2019190196.tif 000003
【図２】
2019190196.tif 000004
【図３】
2019190196.tif 000005
【図４】
2019190196.tif 000006